(57)【要約】【課題】  乾式工法の間仕切壁構造において、面材取付け作業の施工性改善、断熱・吸音材料の施工性向上、音及び熱のブリッジ効果の解消、壁面強度の向上、更には、防・耐火性能の向上を図る。【解決手段】  間仕切壁(W)は、スタッド中心が壁芯位置に整列する第１列スタッド(4A)及び第２列スタッド(4B)と、スタッドの片側面のみに固定された垂直帯板(14)と、ランナーの両側面に沿って配置された水平帯板(12 、13) とを有する。水平帯板の両端部は、スタッドの上端部又は下端部に固定される。ボード材料(20)の裏面中央部に中間帯板(23 、24) 及び金属製部材(25 、26) が固定される。帯板は、内装ボード材料の裁断片からなり、同一の板厚を有する。【選択図】  図１
2005082987.tif 000002
【特許請求の範囲】
【請求項１】
上下の金属製ランナー(2,3) 及び金属製スタッド(4) により軸組を形成し、壁面を形成する建築用内装ボード材料を前記軸組の両面に取付けた構成を有する乾式工法の間仕切壁構造において、
スタッド中心が壁芯位置に整列し且つ第１室側面の内装ボード材料(20)の縦目地位置(29)に夫々配置された第１スタッド列のスタッドと、スタッド中心が壁芯位置に整列し且つ第２室側面の内装ボード材料(20)の縦目地位置(29)に夫々配置された第２スタッド列のスタッドと、前記第１スタッド列を構成するスタッドの第１室側面のみに固定された垂直帯板(14)と、前記第２スタッド列を構成するスタッドの第２室側面のみに固定された垂直帯板(14)と、前記ランナーの両側面に沿って配置され、両端部が前記スタッドの上端部又は下端部に固定された水平帯板(12 、13) とを有し、
前記内装ボード材料の裏面中央部には、垂直な中間帯板(23 、24) が固定されるとともに、前記スタッドよりも小さい断面を有する金属製部材(25 、26) が前記中間帯板に固定され、前記中間帯板及び金属製部材は、前記内装ボードの裏面中央部に垂直な連続的リブを形成し、
前記垂直帯板、水平帯板及び中間帯板は、内装ボード材料の裁断片からなり、同一の室の側に配置された前記垂直帯板、水平帯板及び中間帯板は、同一の板厚を有することを特徴とする間仕切壁構造。
【請求項２】
前記内装ボード材料(20)は、下側ボード及び上側ボードに分割され、各ボードの裏面中央部には、前記中間帯板(23 、24) 及び金属製部材(25 、26) が固定され、該中間帯板及び金属製部材は、下側及び上側ボードを上下に連接したときに前記連続的リブを形成することを特徴とする請求項１に記載の間仕切壁構造。
【請求項３】
第１スタッド列のスタッド間隔と、第２スタッド列のスタッド間隔とは、同一寸法Ｓに設定され、各スタッド列は、Ｓ／４だけ壁芯方向にずれ、前記スタッド及び金属製部材は、壁芯方向に等間隔（Ｓ／４）に配置されることを特徴とする請求項１又は２に記載の間仕切壁構造。
【発明の詳細な説明】
【技術分野】
【０００１】
本発明は、乾式工法の間仕切壁構造に関するものであり、より詳細には、壁面を形成する建築用内装ボード材料を軸組の両面に取付けた構成を有する乾式工法の間仕切壁構造に関するものである。
【背景技術】
【０００２】
建築物又は工作物の間仕切壁として、石膏ボード又は珪酸カルシウム板等の建築用内装ボード材料を鋼製スタッドの間柱に取付けてなる所謂軸組構造の軽量鉄骨間仕切壁が広く実用に供されている。この形式の間仕切壁構造においては、鋼製スタッドは、壁芯に沿って等間隔に整列配置され、鋼製スタッドの上端部及び下端部は夫々、天井ランナ及び床ランナに係合する。鋼製スタッドの両側面には、建築用内装ボード材料が固定され、内装ボード材料の壁面が各室に形成される。この種の間仕切壁構造において、ロックウール又はグラスウール等の圧縮変形可能な薄い敷目板を鋼製スタッドと内装ボード材料との間に介挿し、内装ボード材料に作用した衝撃又は振動が鋼製スタッドに伝達するのを防止するように構成したものが知られている（特開平６−４２０７８号公報）。
【０００３】
他の形式の間仕切壁構造として、間仕切壁の遮音性能及び施工性等を向上すべく、鋼製スタッドの間柱を省略したノンスタッド構造又はスタッドレス構造の間仕切壁が知られている。例えば、特公昭６２─９７０１号公報に開示された間仕切壁は、天井ランナ及び床ランナに固定される各壁面の内装ボード材料と、間仕切壁の中空部に配置された芯材とから略構成される。一種の間柱として機能する芯材は、無機質系接着剤を介してボード材料に接着され、ボード材料と芯材との間に空隙が形成される。また、他の形式のノンスタッド構造間仕切壁として、例えば、特開平７−３２４４１０号公報及び特開平９−４０９６号公報等に開示される如く、上下方向に延びる補強リブをボード片の積層体等によって予め内装ボード材料に一体的に形成し、ボード材料を天井ランナ及び床ランナに取付けるように構成したものが知られている。
【０００４】
本発明者等は、このような乾式工法且つスタッドレス構造の間仕切壁に関し、下張りボードと上張りボードとの間に補強板及び接着材塊を介挿した構造の間仕切壁を開発し、既に実用化しており（実公平６−３３０５８号公報）、また、壁面の面密度又は質量分布を変化させて低周波数帯域の遮音性能を向上するようにした間仕切壁構造を既に提案している（特開２００２−２１３０３８号公報) 。
【特許文献１】特開平６−４２０７８号公報
【特許文献２】特公昭６２─９７０１号公報
【特許文献３】特開平７−３２４４１０号公報
【特許文献４】特開平９−４０９６号公報公報
【特許文献５】実公平６−３３０５８号公報
【特許文献６】特開２００２−２１３０３８号公報
【発明の開示】
【発明が解決しようとする課題】
【０００５】
従来の軸組構造の間仕切壁においては、面材（内装ボード材料）の支持間隔に限界があることから、鋼製スタッドは、約４５０mm又は６００mm間隔に壁内に配置され、壁内の中空部は、鋼製スタッドにより分割される。このため、グラスウール等の断熱・吸音材料は、スタッドにより分割された壁内の各区画毎に夫々挿入し又は充填しなければならず、この作業は、非効率的であり、施工性が非常に悪い。各スタッドの両側面には、各室の壁面を形成するための面材がビス又はボード螺子等により固定される。面材の縁部をビス又はボード螺子によりスタッドに固定する作業も又、かなり非効率的であり、施工性が悪く、面材縁部の破損等が生じ易いという問題も指摘されている。また、スタッド及びスタッド廻りの面材は、騒音及び熱を固体伝導するノイズブリッジ及びヒートブリッジを形成し、間仕切壁の遮音性能及び断熱性能を低下させる弱点となることが知られている。これに対し、薄い敷目板をスタッド及び面材の間に介挿する上記工法（特許文献１）では、敷目板の遮音性及び断熱性により、音及び熱のブリッジ効果を或る程度まで軽減し得るかもしれない。しかし、面材は、ボード螺子等によりスタッドに固定され、敷目板は、スタッド及び面材の間で圧縮され、圧密化されるので、その作用には自ずと限界が生じる。しかも、隣接する左右の面材の縁部に夫々作用するボード螺子等の締付け力は、必ずしも均等ではなく、このため、敷目板の圧縮状態に差異が生じるので、敷目板上の縦目地部分には、段差が発生し易い。
【０００６】
他方、ノンスタッド構造の間仕切壁では、壁内空間が連続するので、断熱・吸音材料の施工性が向上し、音又は熱のブリッジ効果も生じない。しかし、スタッド省略に伴い、壁面強度は、低下する。これは、面材の補強（リブ等）により、かなり改善し得るものの、面材の補強に依存した壁面強度確保には限界があり、例えば、ノンスタッド構造の間仕切壁においては、壁体高さに限界が生じ、また、壁面の耐衝撃性にも自ずと限界がある。
【０００７】
また、間仕切壁の防・耐火性について考慮すると、いずれの構造の間仕切壁においても、目地部分が弱点となり易い。即ち、軸組構造の間仕切壁では、縦目地の背後に位置する鋼製スタッドが温度上昇し易く、スタッドの金属温度上昇及び熱応力変形により壁体の変形又は損壊等が生じ易い。ノンスタッド構造の間仕切壁では、縦目地部分の背後に間柱が存在しないので、熱変形等で縦目地に隙間、間隙又は欠損等が発生すると、高熱気流が隙間等を吹抜ける現象が生じる懸念がある。
【０００８】
本発明は、このような事情に鑑みてなされたものであり、その目的とすることろは、面材取付け作業の施工性改善、断熱・吸音材料の施工性向上、音及び熱のブリッジ効果の解消、壁面強度の向上、更には、防・耐火性能の向上を図ることができる間仕切壁構造を提供することにある。
【課題を解決するための手段】
【０００９】
本発明は、上記目的を達成すべく、上下の金属製ランナー(2,3) 及び金属製スタッド(4) により軸組を形成し、壁面を形成する建築用内装ボード材料を前記軸組の両面に取付けた構成を有する乾式工法の間仕切壁構造において、
スタッド中心が壁芯位置に整列し且つ第１室側面の内装ボード材料(20)の縦目地位置(29)に夫々配置された第１スタッド列のスタッドと、スタッド中心が壁芯位置に整列し且つ第２室側面の内装ボード材料(20)の縦目地位置(29)に夫々配置された第２スタッド列のスタッドと、前記第１スタッド列を構成するスタッドの第１室側面のみに固定された垂直帯板(14)と、前記第２スタッド列を構成するスタッドの第２室側面のみに固定された垂直帯板(14)と、前記ランナーの両側面に沿って配置され、両端部が前記スタッドの上端部又は下端部に固定された水平帯板(12 、13) とを有し、
前記内装ボード材料の裏面中央部には、垂直な中間帯板(23 、24) が固定されるとともに、前記スタッドよりも小さい断面を有する金属製部材(25 、26) が前記中間帯板に固定され、前記中間帯板及び金属製部材は、前記内装ボードの裏面中央部に垂直な連続的リブを形成し、
前記垂直帯板、水平帯板及び中間帯板は、内装ボード材料の裁断片からなり、同一の室の側に配置された前記垂直帯板、水平帯板及び中間帯板は、同一の板厚を有することを特徴とする間仕切壁構造を提供する。
【００１０】
本発明の上記構成によれば、間仕切壁の各側に位置する第１室及び第２室の各壁面は、第１列スタッド(4A)及び第２列スタッド(4B)に夫々支持される。この支持方法は、従来の千鳥配列スタッド又はダブルスタッド形式の軽鉄間仕切壁と同様であるが、本発明では、第１及び第２列のスタッド中心は、いずれも壁芯位置に配列される点で大きく相違する。第１列スタッドの第１室側面および第２スタッド列の第２室側面には、内装ボード材料の裁断片からなる垂直帯板が固定される。垂直帯板は、スタッドの側面と壁面の内装ボード材料とを離間させる。ランナーの両側面に配置された水平帯板は、ランナーと内装ボード材料との間に位置するので、内装ボード材料の支持は、安定する。水平帯板は、スタッドに固定されるので、間仕切壁の層間変形能は、損なわれない。
【００１１】
帯板の中心部分がスタッドに固定されるので、帯板体の破損は、生じ難い。仮に帯板の縁部が固定時に欠落又は破損したとしても、帯板は、間仕切壁内に隠蔽されるので、格別の支障は生じない。内装ボード材料は、スタッドに直に固定されず、従って、ステープル及び／又は接着剤により内装ボード材料を帯板に固定することができるので、面材取付け作業の施工性は、かなり改善する。
【００１２】
垂直帯板は、スタッドの片側面にのみ配置されるので、スタッドの反対側面と内装ボード材料との間には、帯板の板厚に相当する空間が形成される。スタッドにより分割されたスタッド間の区画は、この空間により連続する。このため、比較的広範な面積を有する連続的な断熱・吸音材料を壁内に充填し又は挿入することができ、断熱・吸音材料の施工性は、向上する。同時に、スタッド及び内装ボード材料の間に形成された空間は、音及び熱のブリッジ効果を確実に防止する。
【００１３】
上記内装ボード材料の裏面中央部には、中間帯板(23 、24) が固定され、比較的小断面の金属製部材(25 、26) が中間帯板に固定される。中間帯板を金属製部材にビス又は螺子で固定した後、中間帯板をステーブル及び／又は接着剤によりボードの裏面に固定することができる。中間帯板及び金属製部材は、内装ボード材料の中央部分を補強する垂直リブを形成するので、スタッドは、内装ボード材料の縦目地に相応する位置にのみ配置すれば良い。従って、各壁面を支持するスタッド列のスタッド間隔を各壁面のボードの幅、例えば、９００mm間隔に設定することができる。
【００１４】
内装ボード材料の素材は、比較的軽比重且つ低強度であるのに対し、金属製部材は、高い比重及び強度を有する。従って、垂直リブによりボード材料のスタッド間領域を補強し、ボード材料及び金属製部材の比重差によりコインシデンス効果を解消し、更には、ボード中央領域の質量変化による制振効果によって振動伝達（騒音伝達）を効果的に防止することができる。
【００１５】
また、比較的破損又は外力変形が生じ易い内装ボード材料の両側縁部及び巾木部分（及び壁体頂部）には、垂直帯板及び水平帯板が裏当材として配置されるので、内装ボード材料は、全体的に補強される。
【００１６】
これらの帯板は又、火災時におけるスタッド及びランナーの加熱を防止するとともに、縦目地部分、下端縁及び上端縁に隙間等が発生するのを防止する。このため、間仕切壁の防・耐火性能は、向上する。
【発明の効果】
【００１７】
本発明によれば、面材取付け作業の施工性改善、断熱・吸音材料の施工性向上、音及び熱のブリッジ効果の解消、壁面強度の向上、更には、防・耐火性能の向上を図ることができる間仕切壁構造を提供することができる。
【発明を実施するための最良の形態】
【００１８】
本発明の好適な実施形態によれば、内装ボード材料(20)は、下側ボード及び上側ボードに分割され、各ボードの裏面中央部には、中間帯板(23 、24) 及び金属製部材(25 、26) が固定され、中間帯板及び金属製部材は、下側及び上側ボードを上下に連接したときに連続的リブを形成する。
【００１９】
本発明の更に好ましい実施形態によれば第１スタッド列のスタッド間隔と、第２スタッド列のスタッド間隔とは、同一寸法Ｓに設定され、各スタッド列は、Ｓ／４だけ壁芯方向にずれ、スタッド及び金属製部材は、壁芯方向に等間隔（Ｓ／４）に配置される。
【実施例】
【００２０】
以下、添付図面を参照して、本発明の好適な実施例について詳細に説明する。
【００２１】
図１は、本発明の実施例に係る間仕切壁の斜視図であり、図２及び図３は、図１に示す間仕切壁の縦断面図及び横断面図である。
【００２２】
図１乃至図３に示す間仕切壁Ｗは、軽量鉄骨製の床ランナー２及び天井ランナー３を備える。間仕切壁Ｗの壁厚Ｄ１（図２、図３）は、１００〜１５０mm、例えば、１２５mmに設定される。床ランナー２は、コンクリートスラブ又は床モルタル下地等の床基盤Ｆ上に配置され、壁芯方向に床面Ｆａ上に延在する。床ランナー２は、９００mm程度の間隔を隔てて配置された打込みピン等の固定具（図示せず）によって床基盤Ｆに固定される。天井ランナー３は、溶接、タッピング螺子又はアンカー等の固定手段（図示せず）によって軽量鉄骨製天井下地材又は上階コンクリートスラブ等の天井下地Ｃに固定される。天井ランナー３は、床ランナー２と対向して壁芯方向に天井下地面Ｃａに延在する。ランナー２、３は、幅Ｄ２＝約５０mm（図２、図３）の溝形軽量鉄骨部材からなる。
【００２３】
軽量鉄骨製スタッド４が、上下のランナー２、３の間に垂直に建込まれる。スタッド４は、幅約５０mmのチャンネル形軽量鉄骨部材からなる。各スタッド４の上端部及び下端部は、ランナー２、３の溝内に挿入され、ランナー２、３に摩擦係合する。ランナー２、３及びスタッド４は、鋼製壁下地を構成する。所望により、擦過音防止手段や、振止め部材等が鋼製壁下地の適所に配設される。
【００２４】
図３に示す如く、スタッド４は、片側の壁面を支持する第１スタッド列のスタッド４Ａと、反対側の壁面を支持する第２スタッド列のスタッド４Ｂとに分類される。スタッド４Ａ：４Ｂは夫々、スタッド間隔Ｓを隔てて配列され、各スタッド列は、Ｓ／４だけ壁芯方向に位相をずらした状態に配置される。
【００２５】
図１に示す如く、水平帯板１２、１３が、ランナー２、３の両側面に配置され、垂直帯板１４が、スタッド４の片側面に取付けられる。各帯板１２、１３、１４は、内装ボード材料の裁断片からなり、本例では、板厚１５mmの石膏ボード片からなる。水平帯板１２、１３の幅は、７５〜１５０mm程度の範囲内、例えば、１００mmに設定され、垂直帯板１４の幅は、５０〜１２０mm、例えば、９０mmに設定される。
【００２６】
図４及び図５は、鋼製壁下地の建込み工程を示す正面図及び斜視図である。
【００２７】
図４（Ａ）には、鋼製壁下地の建込み過程が示され、図４（Ｂ）には、帯板１２、１３、１４の取付け過程が示されている。
【００２８】
図４（Ａ）に示す如く、第１スタッド列のスタッド４Ａは、所定の相互間隔Ｓを隔てて壁芯位置に整列配置される。同様に、第２スタッド列のスタッド４Ｂ（破線で示す）も又、所定の相互間隔Ｓを隔てて壁芯位置に整列配置される。垂直帯板１４は、図４（Ｂ）に示す如く、タッピング螺子等の係止具１５によってスタッド４のフランジ部外側面に固定される。本例では、垂直帯板１４は、上下に分割されており、上下の帯板部分１４ａ、１４ｂの接合部には、突付け目地１６が形成される。突付け目地１６は、天井面Ｆａに比較的近い位置に配置される。上下の水平帯板１２、１３の両端部が、係止具１５によってスタッド４の上端部及び下端部に固定される。水平帯板１２、１３は、上下のランナー２、３に固定されず、ランナー２、３と水平帯板１２、１３とは、相対変位可能な状態を維持する。なお、スタッド４に対する帯板１２、１３、１４の取付けには、係止具及び接着剤を併用しても良い。
【００２９】
図５には、このようにして建込み工程を完了した鋼製壁下地が示されている。鋼製壁下地の室内側面には、帯板１２、１３、１４の表面が位置する。第１及び第２スタッド列のスタッド４Ａ：４Ｂは、いずれも壁芯位置に配列されるが、壁内領域を完全に分断せず、図３に示す如く、壁内領域は、スタッド４の露出側に形成される空間６により連続する。グラスウール等の断熱・吸音材料５が、壁内領域に配置される。スタッド４間の各区画は、空間６の部分を介して連続するので、断熱・吸音材料５を切断せずに壁内領域に配置することができる。
【００３０】
図６は、鋼製壁下地に取付けられる下張りボード材２０の構造を示す斜視図である。
【００３１】
下張りボード材２０は、下側ボード２１及び上側ボード２２に分割され、各ボード２１、２２の裏面には、中間帯板２３、２４が配置される。ボード２１、２２は、例えば、板厚１５mmの石膏ボードからなる。軽量鉄骨製型材からなる垂直部材２５、２６が、中間帯板２３の裏面に配置される。中間帯板２３、２４及び垂直部材２５、２６は、ボード２１、２２の幅方向中心位置に位置決めされる。帯板２３、２４は、帯板１４と同じく、内装ボード材料の裁断片からなり、帯板１４と実質的に同じ断面寸法（本例では、板厚１５mm及び幅９０mm）を有する。帯板２３は、下側帯板部分１４ａと実質的に同一の全長（全高）を有し、帯板２４は、上側帯板部分１４ｂと実質的に同じ全長（全高）を有する。垂直部材２５、２６は夫々、幅×奥行が約２５mm×２５mmのチャンネル形軽量鉄骨部材からなり、帯板２３、２４と実質的に同一の全長（全高）を有する。
【００３２】
下側の帯板２３及び鋼製部材２５は、水平帯板１２の高さ寸法だけ下側ボード２１の下端縁から上側に偏在し、帯板２３及び鋼製部材２５の上端部は、上方突出部分２７としてボード２１の上端縁から上方に突出する。上側の帯板２４及び鋼製部材２６は、帯板２３及び鋼製部材２５の上方突出部分２７の突出量だけボード２２の全長（全高）よりも短く、平坦な下縁部裏面２７ａがボード２２の全幅に亘ってボード２２に形成される。
【００３３】
鋼製部材２５、２６は、タッピング螺子等の係止具によって帯板２３、２４に固定され、或いは、係止具及び接着剤の併用により帯板２３、２４に固定される。鋼製部材２５、２６を固定した帯板２３、２４は、ステープル又は接着剤の使用、或いは、ステープル及び接着剤の併用により、ボード２１、２２の裏面に固定される。
【００３４】
図７は、下張りボード材２０のボード張り工程を示す正面図である。
【００３５】
図７（Ａ）に示す如く、下側のボード２１は、床面Ｆａ上に垂直に建込まれる。各ボード２１の側縁は、各スタッド４の軸芯位置に位置決めされ、帯板２３の下端縁は、水平帯板１２の上縁に近接又は当接する。帯板２３及び鋼製部材２５の上端部は、スタッド間隔の中間位置において、ボード２１の上端縁から上方に突出し、帯板２３及び鋼製部材２５の上端レベル（水準）は、突付け目地１６のレベル（水準）と実質的に一致する。各ボード２１は、ステープル又は接着剤の使用、或いは、ステープル及び接着剤の併用により帯板１４に固定される。
【００３６】
上側のボード２２は、ボード２１の施工後、図７（Ｂ）に示す如く、ボード２１の上側に取付けられ、ボード２１、２２は、上下に整列する。帯板２３及び鋼製部材２５の上方突出部分２７は、帯板２４及び鋼製部材２６が欠落したボード２１の下縁部裏面２７ａ（図６）に当接する。帯板２３及び鋼製部材２５は、上側ボード２２の裏面に当接するように上方に突出し、上側ボード２２の施工時に上側ボード２２を所定位置に位置決めするための定規として働く。ボード２１、２２の端縁同士を突付けると、下側の帯板２３及び鋼製部材２５の上端縁と、上側の帯板２４及び鋼製部材２６の下端縁とが連接し、帯板２３、２４及び鋼製部材２５、２６は、垂直な連続的リブを下張りボード材２０の裏面中央部に形成する。下張りボード材２０の横目地２８は、突付け目地１６の下側に位置し、下張りボード材２０の縦目地２９は、垂直帯板１４上に位置する。
【００３７】
図３に示す如く、ボード材２０の中間部分は、スタッド４から離間し、前述の如く、空間６が形成され、各スタッド間領域の断熱・吸音材料５は、空間６において連続する。ボード材２０の幅方向中心部に配置された帯板２３、２４及び鋼製部材２５、２６は、壁面の剛性及び質量を局所的に増大し、壁面の遮音性能を全体的に向上するとともに、壁面の面密度を変化させ、壁面の共振による振動伝達（騒音伝達）を防止する。
【００３８】
図１に示す如く、上張りボード材３０を構成する内装ボード材料３１、３２、例えば、板厚９mmの石膏ボードが、下張りボード材２０の表面に取付けられる。ボード材料３１、３２は、ステープル及び／又は接着剤により下張りボード材２０の表面に固定される。内装ボード材料３１、３２の目地３８、３９は、ボード２１、２２の目地２８、２９と異なる位置に配置される。上張りボード材３０の上端及び下端は、図２に示す如く、天井面Ｃａ及び床面Ｆａの近傍に位置し、目地材を充填可能な水平目地が形成される。水平目地には、石膏系充填材３６が充填される。同様に、上張りボード材３０の終端部は、図３に示す如く、他の間仕切壁、外壁又は柱型部分等の構造体９の近傍に位置し、目地材を充填可能な垂直目地が形成される。垂直目地には、石膏系充填材３７が充填される。
【００３９】
所望により、化粧仕上げを予め施した化粧板が内装ボード材料３１、３２として使用され、或いは、塗装又はクロス貼り等の化粧仕上げが、内装ボード材料３１、３２の表面に施される。巾木部材７（図２に仮想線で示す）が、室内側壁面の床面近傍に取付けられる。巾木部材７は、接着剤等により、内装ボード材料３１の下端部に取付けられる。
【００４０】
このように構成された間仕切壁Ｗの軸組は、従来の軽鉄間仕切壁の軸組と同様、適当な層間変位を可能にした状態に施工される。スタッド４の下端部及び上端部は、水平帯板１２、１３により相互連結され、水平帯板１２、１３と同一板厚の垂直帯板１４が、スタッド４の外側面に固定される。帯板１２、１３、１４は、下張りボード材２０をステープル及び／又は接着剤で固定可能なボード支持平面を形成するので、下張りボード２０は、ボードビス等のタッピング螺子を用いずに、間仕切壁Ｗの軸組に固定することができる。
【００４１】
また、垂直帯板１４は、スタッド４の片側面にのみ配置されるので、スタッド４の反対側面と内装ボード材料２０との間には、帯板１４の板厚に相当する空間６が形成される。スタッド４により分割されたスタッド間の区画は、この空間６により連続するので、比較的広範な面積を有する連続的な断熱・吸音材料５を壁内に充填し又は挿入することができ、断熱・吸音材料５の施工性は、向上する。同時に、スタッド４及び内装ボード材料２０の間に形成された空間６は、音及び熱のブリッジ効果を確実に防止する。これは、下張りボード材２０を支持する上下の水平帯板１２、１３がランナー２、３と構造上分離した効果と相まって、間仕切壁Ｗの騒音ブリッジ及び熱ブリッジを効果的に防止するであろう。なお、このように下張りボード材２０の幅方向中間領域の支持をなくしたことにより、壁面の強度及び耐衝撃性能の低下が予想されるが、帯板２３、２４及び鋼製部材２５、２６が垂直な連続的リブを下張りボード材２０の裏面に形成し、下張りボード材２０の強度及び耐衝撃性を向上し、また、巾木部分の帯板１２は、過大な衝撃が比較的作用し易い壁面下部を有効に補強するので、壁面強度低下及び耐衝撃性低下等を防止することができる。
【００４２】
下張りボード材２０の裏面に形成された垂直な連続的リブは又、付加的な質量を下張りボード材２０の裏面中央領域に与え、ボード中央領域の質量変化及び比重変化による制振効果及び共振防止効果により、室間騒音伝達を効果的に防止することができる。
【００４３】
更に、帯板１２、１３、１４は、間仕切壁Ｗ内の金属製軸組部材、即ち、ランナー２、３及びスタッド４の外側面を被覆し、火災時等の金属温度の上昇を抑制する。火災時の金属温度の上昇は、間仕切壁Ｗの防耐火性能と密接に関連し、金属製軸組部材の過熱防止は、間仕切壁Ｗの防耐火性能を改善する。
【００４４】
以上、本発明の好適な実施例について詳細に説明したが、本発明は上記実施例に限定されるものではなく、特許請求の範囲に記載された本発明の範囲内で種々の変形又は変更が可能である。
【００４５】
例えば、建築物又は工作物に使用可能な多種のボード材料を本発明の間仕切壁に用いることができる。例えば、上記ボード材料として、石膏ボードの他、珪酸カルシウム板、フレキシブルボード、石膏スラグ板、石膏繊維板、無機繊維強化石膏ボード、ガラス繊維強化石膏ボード、石綿セメント板、繊維強化石膏板（ＦＧボード）等の各種ボード材料を使用することが可能である。
【産業上の利用可能性】
【００４６】
間仕切壁構造に関し、面材取付け作業の施工性改善、断熱・吸音材料の施工性向上、音及び熱のブリッジ効果の解消、壁面強度の向上、更には、防・耐火性能の向上を図ることができる。
【図面の簡単な説明】
【００４７】
【図１】本発明の実施例に係る間仕切壁の斜視図である。
【図２】図１に示す間仕切壁の縦断面図であり、図２には、図３のＩ−Ｉ線における断面図（図２（Ａ））と、図３のII−II線における断面図（図２（Ｂ））とが示されている。
【図３】図２のIII−III線における間仕切壁の横断面図である。
【図４】鋼製壁下地の建込み工程を示す正面図である。
【図５】鋼製壁下地の建込み工程を示す斜視図である。
【図６】鋼製壁下地に取付けられる下張りボード材の構造を示す斜視図である。
【図７】下張りボード材のボード張り工程を示す正面図である。
【符号の説明】
【００４８】
２  床ランナー
３  天井ランナー
４  軽量鉄骨製スタッド
５  断熱・吸音材料
６  空間
１２、１３  水平帯板
１４  垂直帯板
１５  係止具
２０  下張りボード材
２１  下側ボード
２２  上側ボード
２３、２４  中間帯板
２５、２６  垂直部材（鋼製部材）
Ｗ  間仕切壁
Ｃ  天井下地
Ｆ  床基盤
【図１】
2005082987.tif 000003
【図２】
2005082987.tif 000004
【図３】
2005082987.tif 000005
【図４】
2005082987.tif 000006
【図５】
2005082987.tif 000007
【図６】
2005082987.tif 000008
【図７】
2005082987.tif 000009